(57)【要約】【課題】本発明は既存のワンタッチ式トイレットペーパーホルダーそのものを利用し、予備のペーパーを収納し、なおかつ簡単な操作でペーパーの交換が出来るトイレットペーパー保持具を提供するものである。【解決手段】使用中と予備のトイレットペーパーを上下二本の支持突起に引っ掛けて吊るす、保持爪ガイド孔を有する左右一対の支持板からなるトイレットペーパー保持具であって、使い終わったペーパーの芯をホルダーの保持爪から外して上に取り出す際に、バネで戻るホルダーの保持爪を支持板のガイド孔がとらえ予備ペーパーの芯穴に導くことでペーパーの交換を容易に行なうことができることを特徴とする。【選択図】図１
2014223268.tif 000002
【特許請求の範囲】
【請求項１】
バネによって上下に開閉する保持爪がトイレットペーパーの芯穴に入ることでペーパーを保持する方式のトイレットペーパーホルダー用の、使用中と予備のロールペーパーを上下二本の支持突起に引っ掛けて吊るす、保持爪ガイド孔を有する左右一対の支持板からなるトイレットペーパー保持具。
【発明の詳細な説明】
【技術分野】
【０００１】  この発明は、バネで上下に開閉するロールペーパー保持爪を有するワンタッチトイレットペーパーホルダーに本発明品を装着することによって、予備のトイレットペーパーの収納と容易な交換を可能にするトイレットペーパー保持具に関するものである。
【背景技術】
【０００２】  一回の使用に必要とするトイレットペーパーは二巻にまたがることが往々にしてある。その際、ペーパーの交換作業は身動きの自由があまりきかない体勢で行うことになるので、予備のペーパーは常に手元にあることが望ましい。
既存のトイレットペーパーホルダー類でこの要求を満たすには以下の方法があった。
（イ）トイレットペーパーホルダーを二つ設置する。
（ロ）トイレットペーパーホルダーに布または金属製の予備ペーパー収納装置を付ける。
（ハ）トイレットペーパーホルダーに予備ペーパー収納機能と交換機能のある予備ホルダーを付ける。
（ニ）トイレットペーパーを二個ないしそれ以上収納できるペーパーホルダーを使う。
【先行技術文献】
【特許文献】
【０００３】
【特許文献１】実用新案登録第３１７１３４８号
【特許文献２】特開２００４−９７７３８号
【特許文献３】実用新案登録第３０２９５６３号
【特許文献４】特開平８−３８３９１号
【発明の開示】
【発明が解決しようとする課題】
【０００４】  上述の従来の方法には以下の様な欠点があった。
（イ）ホルダーを横に二つ並べることは狭いトイレの中でスペースを取るし、縦に二つ並べると間にペーパー装着のスペースを開けなくてはいけないので、どちらかのホルダーは使うのに不自然な姿勢を強いられることになる。
（ロ）空になった芯の取り外しと予備ペーパー取り付けの二つの別々の作業を行わなくてはならず、取り外した空芯の一時的な扱いにも困る。
（ハ）空の芯の取り外しと予備ペーパーの取り付けは別々に行わなければならず、巻きの太さの異なるペーパーを正確に取り付けられない恐れもある。
（ニ）機構が複雑にならざるを得ず、従って価格も高価である。元々使っていたホルダーも無駄になる。
本発明が解決しようとする課題は、各家庭に既に設置されているワンタッチ式トイレットペーパーホルダーを無駄にすることなく、またトイレ内のスペースを余計に塞ぐことなく、使用済みペーパー芯の取り外しと予備ペーパーの装着を容易にする器具を提供することである。
【課題を解決するための手段】
【０００５】  上記の目的を達成する本発明のワンタッチペーパーホルダー用トイレットペーパー保持具は、使用中と予備のロールペーパーを上下二本の支持突起に引っ掛けて吊るす、保持爪ガイド孔を有する左右一対の支持板で、空になったロールペーパー芯を手で持ち上げてワンタッチペーパーホルダーの保持爪から取り出す際に、支持板の保持爪ガイド孔がバネで戻る保持爪をとらえて予備のロールペーパーの芯穴に導くことで、ロールペーパーの交換を容易にすることを特徴とする。
【発明の効果】
【０００６】  設置済みのワンタッチトイレットペーパーホルダーに本発明品を組み合わせて使用することで、安価で予備ペーパーの収納機能をホルダーに持たせ、なおかつペーパーの交換を容易に行うことが可能になる。
【発明を実施するための形態】
【０００７】  以下、本発明の実施の形態について説明する。
上下にロールペーパーそれぞれ一巻を引っ掛けて吊るす支持突起を二本備え、その中間にペーパー交換時にホルダー本体のロールペーパー保持爪を予備ペーパーの芯穴へと導く、保持爪の幅よりやや広めで縦長の保持爪ガイド穴を有する、木またはプラスチックまたは金属製の支持板は左右一対ある。
支持板の上下には、ロールペーパーと支持板を別個に保持爪で支えるための、ロールペーパーの芯穴よりやや小さめの輪状の保持爪受け穴を有する。すでに使用中のペーパーホルダーの構造上の問題で、支持板にこの保持爪受け穴を設けられない場合は、ロールペーパーの芯穴よりも一回り径が小さくてロールペーパーの幅と等しい長さの、紙またはプラスチックまたは金属製の中空の補助芯をロールペーパーの芯穴に通し、これに支持突起を引っ掛けて支持板を吊るすことにより、やはりロールペーパーと支持板を別個に保持爪で支えることが可能になる。
【０００８】  本発明品に同じ向きに揃えてセットした二巻のロールペーパーの内の一巻を、ワンタッチペーパーホルダーの下方から挿し込むと、保持爪はロールペーパーの芯穴と、保持爪受け穴あるいは補助芯の穴に嵌り、それぞれを支える。ロールペーパーの芯穴と、保持爪受け穴あるいは補助芯の穴の径の差により、保持爪に支えられた状態ではロールペーパーは支持突起から離れるので、予備ペーパーを吊るす支持板の重みが使用中のペーパーの巻き取り時の抵抗を増すことはない。
【０００９】  使用中のペーパーを使い切った時は、空になった芯を持ち上げると左右の支持板が保持爪を押し開き、そのまま持ち上げ続けると保持爪は支持板に開いた保持爪ガイド孔に嵌り込む。更に持ち上げ続けると保持爪は支持板によってまた一旦押し開かれるが、すぐに下から上がってきた予備ペーパーの芯穴と、保持爪受け穴あるいは補助芯の穴に嵌り込む。上にあがった使用済みペーパーの空芯は支持板ごと手前に回転させると下にさがる。
これで予備ペーパーが使用中ペーパーとしてホルダーにセットされたことになるが、本発明の優れたところは、ここまでの一連の作業を片手で行なえることと、中断されたペーパーの巻取りの再開を優先させて、空になった芯の処分と新たな予備ペーパーの補充は後回しにできることである。
【００１０】  新たな予備ペーパーを補充するにはまず、下にさがった空芯を、補助芯がある場合は補助芯と共に、一方の支持板の支持突起から外し、その後、空の芯だけを、もう一方の支持板から外す。次に、新たなペーパーを、補助芯がある場合は補助芯に被せるようにして、支持板の支持突起に引っ掛け、もう一方の支持板の支持突起を反対側の芯穴に差し込む。
【図面の簡単な説明】
【００１１】
【図１】本発明の斜視図
【図２】本発明にトイレットペーパーを装着した状態の斜視図
【図３】本発明をワンタッチトイレットペーパーホルダーに装着した状態の断面図
【図４】保持爪が押し上げられ保持爪受け穴から外れた状態図
【図５】保持爪ガイド孔が保持爪をとらえた状態図
【図６】保持爪が予備ペーパーの芯穴に収まった状態図
【図７】空のロールペーパー芯を下げている状態図
【図８】空のロールペーパー芯を取り出している状態図
【図９】補助芯を使用した場合の本発明の斜視図
【符号の説明】
【００１２】１    支持板
２    支持突起
３    保持爪ガイド孔
４    保持爪受け穴
５    ロールペーパー
６    ワンタッチペーパーホルダー
７    保持爪
８    ペーパーカッター（上にあげたところ）
９    ロールペーパー芯
１０  補助芯
【図１】
2014223268.tif 000003
【図２】
2014223268.tif 000004
【図３】
2014223268.tif 000005
【図４】
2014223268.tif 000006
【図５】
2014223268.tif 000007
【図６】
2014223268.tif 000008
【図７】
2014223268.tif 000009
【図８】
2014223268.tif 000010
【図９】
2014223268.tif 000011
【手続補正書】
【提出日】平成26年8月13日(2014.8.13)
【手続補正１】
【補正対象書類名】特許請求の範囲
【補正対象項目名】請求項１
【補正方法】変更
【補正の内容】
【請求項１】
バネによって上下に開閉する保持爪がトイレットペーパーの芯穴に入ることでペーパーを保持する方式のトイレットペーパーホルダー用のトイレットペーパー保持具であって、上下にそれぞれ一個の、ロールペーパーと支持板を別個に保持爪で支えるための、ロールペーパーの芯穴よりやや小さめの輪状の保持爪受け穴と、その内側にロールペーパーそれぞれ一巻を引っ掛けて吊るす一本の支持突起と、中央にホルダー本体のロールペーパー保持爪を予備ペーパーの芯穴へと導く、保持爪の幅よりやや広めで縦長の保持爪ガイド孔を有する左右一対の支持板からなるトイレットペーパー保持具。
【手続補正３】
【補正対象書類名】明細書
【補正対象項目名】０００５
【補正方法】変更
【補正の内容】
【０００５】  上記の目的を達成する本発明のワンタッチペーパーホルダー用トイレットペーパー保持具は、上下にそれぞれ一個の保持爪受け穴と、その内側にそれぞれ一本の支持突起と、中央に保持爪ガイド孔を有する左右一対の支持板からなるトイレットペーパー保持具であって、使い終わったペーパーの芯をホルダーの保持爪から外して上に取り出す際に、バネで戻るホルダーの保持爪を支持板のガイド孔がとらえ予備ペーパーの芯穴に導くことでペーパーの交換を容易に行なうことができることを特徴とする。
【手続補正４】
【補正対象書類名】明細書
【補正対象項目名】０００７
【補正方法】変更
【補正の内容】
【０００７】  以下、本発明の実施の形態について説明する。上下にそれぞれ、支持板１をペーパーホルダーの保持爪７で支えるための、ロールペーパーの芯穴よりやや小さめの輪状の保持爪受け穴４と、その中間に、ペーパー交換時にロールペーパー保持爪を誘導する、保持爪の幅より広めで縦長の保持爪ガイド孔３、及び、上下の保持爪受け穴と保持爪ガイド孔の仕切り部分に、二巻のロールペーパーのそれぞれの芯穴に嵌り込んでペーパーを吊るす支持突起２をそれぞれ備えた、木またはプラスチックまたは金属製の支持板は左右一対ある。
【手続補正５】
【補正対象書類名】明細書
【補正対象項目名】０００８
【補正方法】変更
【補正の内容】
【０００８】支持板１の支持突起２をそれぞれ芯穴に嵌め込むことによって本発明品に同じ向きに揃えてセットした二巻のロールペーパーの内の一巻を、ワンタッチペーパーホルダーの下方から挿し込むと、保持爪７は支持板の保持爪受け穴４と、その内側のロールペーパーの芯穴に同時に嵌り、それぞれを支える。ロールペーパーの芯穴と保持爪受け穴の径の差により、保持爪に支えられた状態ではロールペーパーは支持突起から離れるので、予備ペーパーを吊るす支持板の重みが使用中のペーパーの巻き取り時の抵抗を増すことはない。
【手続補正６】
【補正対象書類名】明細書
【補正対象項目名】０００９
【補正方法】変更
【補正の内容】
【０００９】  使用中のペーパーを使い切った時は、空になった芯を持ち上げると、左右の支持板１の上の保持爪受け穴４と保持爪ガイド孔３の間の仕切りが保持爪７を押し開き、仕切りを越えた保持爪は保持爪ガイド孔に嵌り込む。更に持ち上げ続けると保持爪は保持爪ガイド孔と下の保持爪受け穴の間の仕切りによってまた一旦押し開かれるが、しきりを越えた保持爪は下の保持爪受け穴と、その内側にある、支持突起２によって吊るされた予備ペーパーの芯穴に再び嵌り込む。上にあがった使用済みペーパーの空芯は支持板ごと手前に引くと、輪状の保持爪受け穴を中心にして回転し、下にさがる。  これで予備ペーパーが新たな使用中ペーパーとしてホルダーにセットされたことになるが、本発明の優れたところは、ここまでの一連の作業を片手で行なえることと、中断されたペーパーの巻取りの再開を優先させて、空になった芯の処分と新たな予備ペーパーの補充は後回しにできることである。
【手続補正７】
【補正対象書類名】明細書
【補正対象項目名】００１０
【補正方法】変更
【補正の内容】
【００１０】  新たな予備ペーパーを補充するにはまず、下にさがった空芯を一方の支持板１の支持突起２から外し、その後で、もう一方の支持板の支持突起から外して取り去る。次に、向きを揃えた新たなペーパーの芯穴を一方の支持板の支持突起に引っ掛け、もう一方の支持板の支持突起を反対側の芯穴に差し込む。
【手続補正８】
【補正対象書類名】明細書
【補正対象項目名】００１１
【補正方法】変更
【補正の内容】
【００１１】
【図１】本発明の斜視図
【図２】本発明にトイレットペーパーを装着した状態の斜視図
【図３】本発明をワンタッチトイレットペーパーホルダーに装着した状態の断面図
【図４】保持爪が押し上げられ保持爪受け穴から外れた状態図
【図５】保持爪ガイド孔が保持爪をとらえた状態図
【図６】保持爪が予備ペーパーの芯穴に収まった状態図
【図７】空のロールペーパー芯を下げている状態図
【図８】空のロールペーパー芯を取り出している状態図
【手続補正９】
【補正対象書類名】明細書
【補正対象項目名】００１２
【補正方法】変更
【補正の内容】
【００１２】１  支持板２  支持突起３  保持爪ガイド孔４  保持爪受け穴５  ロールペーパー６  ワンタッチペーパーホルダー７  保持爪８  ペーパーカッター（上にあげたところ）９  ロールペーパー芯
【手続補正１０】
【補正対象書類名】図面
【補正対象項目名】図９
【補正方法】削除
【補正の内容】